【手続補正書】
【提出日】平成18年3月13日(2006.3.13)
【手続補正１】
【補正対象書類名】明細書
【補正対象項目名】発明の名称
【補正方法】変更
【補正の内容】
【発明の名称】基地局装置、移動局装置、基地局制御装置
【手続補正２】
【補正対象書類名】明細書
【補正対象項目名】特許請求の範囲
【補正方法】変更
【補正の内容】
【特許請求の範囲】
【請求項１】  基地局制御装置に制御され、移動局装置と無線によるデータの送受信を行う基地局装置であって、
前記移動局装置における受信品質が所定の閾値より低い時に品質不良信号を生成する品質不良信号生成手段と、前記品質不良信号を前記基地局制御装置に報告する品質不良信号報告手段と、を具備する基地局装置。
【請求項２】  基地局制御装置に制御され、移動局装置と無線によるデータの送受信を行う基地局装置であって、
前記移動局装置における受信品質が所定の閾値より低い時に品質不良信号を生成する品質不良信号生成手段と、単位時間当たりの前記品質不良信号の生成回数が所定の回数以上である時に前記基地局制御装置に報告する品質不良信号報告手段と、を具備する基地局装置。
【請求項３】  基地局制御装置に制御され、移動局装置と無線によるデータの送受信を行う基地局装置であって、
前記移動局装置における受信品質と所定の閾値との比較結果を示す信号を前記移動局装置から受信し、前記比較結果により前記受信品質が前記閾値より低いことを検出して品質不良信号を生成する品質不良検出手段と、前記品質不良信号を前記基地局制御装置に報告する品質不良信号報告手段と、を具備する基地局装置。
【請求項４】  基地局装置と無線によるデータの送受信を行う移動局装置であって、
前記基地局装置から送信される送信信号の受信品質を検出する受信品質検出手段と、前記受信品質が所定の閾値より低い時に品質不良信号を生成する品質不良信号生成手段と、単位時間当たりの前記品質不良信号の生成回数が所定の回数以上である時に品質不良判定信号を生成して前記基地局装置に報告する品質不良判定信号報告手段と、を具備する移動局装置。
【請求項５】  単位時間当たりの前記品質不良信号の生成回数が所定の回数以上である時に前記移動局装置に対するデータ伝送をＨＳＤＰＡ（High Speed Downlink Packet Access）からＤＰＣＨ（Dedicated downlink Physical channels)に切り替えるように請求項１記載の基地局装置に制御信号を送信する制御信号送信手段を具備する基地局制御装置。
【手続補正３】
【補正対象書類名】明細書
【補正対象項目名】０００１
【補正方法】変更
【補正の内容】
【０００１】
【発明の属する技術分野】
本発明は、基地局装置、移動局装置、基地局制御装置に関する。
【手続補正４】
【補正対象書類名】明細書
【補正対象項目名】００１１
【補正方法】変更
【補正の内容】
【００１１】
【課題を解決するための手段】
本発明の基地局装置は、基地局制御装置に制御され、移動局装置と無線によるデータの送受信を行う基地局装置であって、前記移動局装置における受信品質が所定の閾値より低い時に品質不良信号を生成する品質不良信号生成手段と、前記品質不良信号を前記基地局制御装置に報告する品質不良信号報告手段と、を具備する構成を採る。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】